(57)【要約】【課題】従来よりも強度が高く耐久性に優れたアンテナ取付具を提案する。【解決手段】本発明によるアンテナ取付具は、Ｔ字エルボ２を所定部位に固定し且つ該Ｔ字エルボ２から下側の部分１ｃをＴ字エルボ２の分岐方向へ湾曲させたポール１と、Ｔ字エルボ２の分岐部から延びたアーム２ａに一端部３ａがスライド可能に装着され且つポール１の湾曲部１ｃ先端と向かい合うように延びたアーム３ｃを他端部３ｂにもつＬ字エルボ３と、ポール１の湾曲部１ｃ先端及びＬ字エルボ３のアーム３ｃ先端に設けられた挟持板１ｄ，３ｄと、Ｔ字エルボ２とＬ字エルボ３とを互いに近付けるように付勢する付勢手段４と、を含んで構成されることを特徴とする。【選択図】図１
2008131548.tif 000002
【特許請求の範囲】
【請求項１】
Ｔ字エルボを所定部位に固定し且つ該Ｔ字エルボから下側の部分を前記Ｔ字エルボの分岐方向へ湾曲させたポールと、
前記Ｔ字エルボの分岐部から延びたアームに一端部がスライド可能に装着され、且つ前記ポールの湾曲部先端と向かい合うように延びたアームを他端部もつＬ字エルボと、
前記ポールの湾曲部先端及び前記Ｌ字エルボのアーム先端に設けられた挟持板と、
前記Ｔ字エルボと前記Ｌ字エルボとを互いに近付けるように付勢する付勢手段と、
を含んで構成されることを特徴とするアンテナ取付具。
【請求項２】
前記Ｌ字エルボのアーム先端に設けられる挟持板が上下方向に揺動可能になっていることを特徴とする請求項１記載のアンテナ取付具。
【発明の詳細な説明】
【技術分野】
【０００１】
本発明は、バルコニー（ベランダ）や屋上に設けられたパラペットなどにパラボラアンテナ等を取り付けるために使用されるアンテナ取付具に関する。
【背景技術】
【０００２】
一般家屋において衛星放送受信用のパラボラアンテナをバルコニーなどのパラペット（胸壁、手すり壁）に設置するにあたっては、特許文献１，２に示されるようなアンテナ取付具が広く使用されている。このアンテナ取付具は、アーム保持体に保持されたアーム体をボルトの回転でスライドさせることにより、アーム保持体及びアーム体の各先端に設けられている挟持板の間隔を調整することが可能とされ、これら挟持板でパラペットを挟み込むことにより取り付けを行う構造である。
【特許文献１】特開２００２−３７４１０９号公報
【特許文献２】特開２００３−２６４４０９号公報
【発明の開示】
【発明が解決しようとする課題】
【０００３】
上記従来型のアンテナ取付具は、アンテナを固定するポールと挟持板を設けたアーム保持体及びアーム体（アーム部分）とが別体となった構造をもっており、また、挟持板間隔を調整する仕組みを提供するためのアーム体が角パイプ形状とされている。
【０００４】
アンテナ取付具は、パラボラアンテナが強風であおられると大きな力を受けることになるが、これに耐えてアンテナの向きを正確に保つ耐久性が求められる。しかるに、ポールとアーム部分とがまったくの別体であるとその接合部分が脆弱であるし、アーム体が角パイプ形状であるとその曲折部分が脆弱であり、経時的に指向精度を狂わせる要因となっている。
【０００５】
この点に鑑みて本発明は、従来よりも強度が高く耐久性に優れたアンテナ取付具を提案するものである。
【課題を解決するための手段】
【０００６】
本発明によるアンテナ取付具は、Ｔ字エルボを所定部位に固定し且つ該Ｔ字エルボから下側の部分を前記Ｔ字エルボの分岐方向へ湾曲させたポールと、前記Ｔ字エルボの分岐部から延びたアームに一端部がスライド可能に装着され、且つ前記ポールの湾曲部先端と向かい合うように延びたアームを他端部にもつＬ字エルボと、前記ポールの湾曲部先端及び前記Ｌ字エルボのアーム先端に設けられた挟持板と、前記Ｔ字エルボと前記Ｌ字エルボとを互いに近付けるように付勢する付勢手段と、を含んで構成されることを特徴とする。
【発明の効果】
【０００７】
本発明のアンテナ取付具によれば、アンテナを固定するポールを湾曲させて一方の挟持板を支える一体構造にしているので、上述のように挟持板を設けたアーム部分をポールと別体の構造とした従来技術に比べて、強度が向上する。さらに、アンテナ固定用のポールは一般に円形断面をもつので、角パイプや板状の部材で挟持板を支える場合に比べて強度が高い。
【０００８】
また、挟持板を設けるアーム部分について、Ｔ字エルボとＬ字エルボの組み合わせで構成し、従来のように角パイプ形状の曲折部分をもたない構造としたので、この部分についても強度が向上している。しかも、Ｔ字エルボ及びそのアーム、Ｌ字エルボ及びそのアームをすべて円形断面（真円、楕円、長円を含む）とすることができるので、この点でも強度が向上する。
【０００９】
したがって、従来品に比べて強度が高く耐久性に優れたアンテナ取付具を提供することができる。
【発明を実施するための最良の形態】
【００１０】
図１〜図３に、本発明の好適な実施形態について示している。
【００１１】
本実施形態のアンテナ取付具におけるポール１は、断面が真円形のパイプであり、その上端面は樹脂キャップ１ａで封止してある。このポール１において、パラボナアンテナの取り付けに十分な長さの真っ直ぐな部分１ｂを確保して、たとえば上端から２５０ｍｍ程の部位に、Ｔ字エルボ２が溶接により固定されている。そして、当該ポール１のＴ字エルボ２から下側の部分１ｃは、Ｔ字エルボ２の分岐方向（分岐部が延びる方向）へ、所定のＲで略９０°湾曲させてある。この湾曲部１ｃの先端に、バルコニー等のパラペットを挟み込むための挟持板１ｄが溶接されている。挟持板１ｄの挟持面は、表面に凹凸を形成したゴム板１ｅで覆われている。
【００１２】
このように、円形断面をもつポール１を湾曲させて挟持板１ｄを支える一体構造にしているので、従来技術のように、挟持板を設けたアーム部分をポールと別体とした構造と比べて、接合部分が無い等の理由から取付強度が向上する。さらに、角パイプや板状の部材に対して円形断面のパイプの方が強度が高いので、ポール１で挟持板１ｄを支持する本構造の方が強度が高い。
【００１３】
Ｔ字エルボ２の分岐部からは中空のアーム２ａが、パラペットへの取り付けに必要な長さ真っ直ぐに延びており、当該アーム２ａの先端面２ｂにネジ穴が設けられている。このアーム２ａに、Ｌ字エルボ３の一端部３ａがスライド可能に、本実施形態の場合は筒状の一端部３ａ内にアーム２ａが遊挿されるようにして、装着されている。Ｌ字エルボ３の一端部３ａは、アーム２ａに相応する長さをもち、これらアーム２ａと一端部３ａがテレスコピック動作するこにより、パラペットへの取り付けに必要な挟持板間隔が得られる。
【００１４】
一端部３ａに対し略９０°折れ曲がったＬ字エルボ３の他端部３ｂは、先端がポール１の湾曲部１ｃ先端と向かい合うように湾曲して延びたアーム３ｃを有し、このアーム３ｃの先端に、挟持板３ｄが設けられている。挟持板３ｄは、断面コ字状の軸受板３ｅを溶接してあり、アーム３ｃ先端部分に配設した軸３ｆの両端部を軸受板３ｅで軸支することにより、挟持板３ｄが上下方向に揺動できるように接続されている。この挟持板３ｄの挟持面も、表面に凹凸を形成したゴム板３ｇで覆われている。
【００１５】
上記のように、Ｔ字エルボ２とＬ字エルボ３を組み合わせた構成としたことで、従来技術にあった角パイプ形状の曲折部分という脆弱な部分をもたない構造とできるので、挟持板取り付けのためのアーム部分についても強度が向上する。そして、Ｔ字エルボ２及びそのアーム２ａ、Ｌ字エルボ３及びそのアーム３ｃをすべて円形断面（真円、楕円、長円を含む）、すなわち角をもたない断面とすることができるので、この点でも、角パイプを用いる従来技術に比べ強度が向上する。本実施形態の場合、アーム２ａ、Ｌ字エルボ３及びアーム３ｃは、互いに回転しないように、長円（トラック状）断面としてある。
【００１６】
Ｌ字エルボ２において、一端部３ａの基端部分（Ｌ字の屈曲部分）には、付勢手段としてのボルト４を挿通するための貫通孔が設けられており、この貫通孔を通したボルト４がＴ字エルボ２におけるアーム２ａの先端面２ｂにあるネジ穴に螺合すると共に、該ボルト４の頭部４ａが緩み止めワッシャを介しＬ字エルボ３に係止する。したがって、パラペットを挟持板１ｄ，３ｄ間に挟み込んでおいてボルト４を締め込むと、当該ボルト４の締め付けにより、Ｔ字エルボ２とＬ字エルボ３とが互いに近づくように付勢されるので、一方の挟持板１ｄに対し他方の挟持板３ｄが近づくように付勢されてパラペットを挟持し、当該アンテナ取付具が固定される。
【００１７】
このときに、Ｌ字エルボ３のアーム３ｃに設けた挟持板３ｄが上下に揺動可能になっていることから、該挟持板３ｄのパラペット形状への追従性が良くなっている。
【図面の簡単な説明】
【００１８】
【図１】本発明に係るアンテナ取付具の実施形態を示した斜視図。
【図２】図１のアンテナ取付具の側面図。
【図３】図２のアンテナ取付具の断面図。
【符号の説明】
【００１９】
１  ポール
１ｃ  湾曲部
１ｄ  挟持板
２  Ｔ字エルボ
２ａ  アーム
３  Ｌ字エルボ
３ａ  一端部
３ｂ  他端部
３ｃ  アーム
３ｄ  挟持板
４  ボルト（付勢手段）
【図１】
2008131548.tif 000003
【図２】
2008131548.tif 000004
【図３】
2008131548.tif 000005